Podtech/llm-jp-corpus-v4-ja_patent huggingface dataset:
(57)【要約】【課題】使い勝手が良く、通風性に優れた物干し具を提供する。【解決手段】２本の脚杆１１，１２が回動継手４によりＸ形状に交差軸着されて開閉自在となされた脚体１が、相対向して左右一対設けられ、該一対の脚体１の各脚杆１１，１２の上端部間に物干し用横桟２が架設されてなる物干し具に於いて、脚体１を開いて物干し具を地表に立設したとき物干し用横桟２と平行且つ同一高さとなる水平杆３が物干し用横桟２と適宜間隔をおいて配設されたもので、洗濯物の風通しが良く、乾きが早い。【選択図】        図１
2005000272.tif 000002
【特許請求の範囲】
【請求項１】
２本の脚杆が回動継手によりＸ形状に交差軸着されて開閉自在となされた脚体が、相対向して左右一対設けられ、該一対の脚体の各脚杆上端部間に物干し用横桟が架設されてなる物干し具に於いて、脚体を開いて物干し具を地表に立設したとき物干し用横桟と平行且つ同一高さとなる水平杆が物干し用横桟と適宜間隔をおいて配設されたことを特徴とする物干し具。
【発明の詳細な説明】
【０００１】
【発明の属する技術分野】
本発明は、２本の脚杆が回動継手によりＸ形状に交差軸着されて開閉回動可能となされた脚体が相対向して左右一対設けられ、該一対の脚体の各脚杆上端部間に物干し用横桟が架設された物干し具に関する。
【０００２】
【従来の技術】
【特許文献１】特開平１０−５７６９４号公報
従来、２本の脚杆がＸ形状に交差軸着されて開閉回動可能となされた脚体が相対向して左右一対設けられ、脚杆上端部間に継手を介して物干し用横桟が架設された折りたたみ式物干し台が特開平１０−５７６９４号公報に開示されている。
【０００３】
【発明が解決しようとする課題】
しかしながら上記の如き物干し台においては、物干し用横桟に洗濯物を干したときに風通しが悪く洗濯物が乾きにくいという問題があった。
【０００４】
そこで本発明者は従来の欠点に鑑み鋭意研究の結果、通風性に優れた物干し具を提供するものである。
【０００５】
【課題を解決するための手段】
本発明物干し具は、２本の脚杆が回動継手によりＸ形状に交差軸着されて開閉自在となされた脚体が、相対向して左右一対設けられ、該一対の脚体の各脚杆上端部間に物干し用横桟が架設されてなる物干し具に於いて、脚体を開いて物干し具を地表に立設したとき物干し用横桟と平行且つ同一高さとなる水平杆が物干し用横桟と適宜間隔をおいて配設されたもので、洗濯物の風通しが良く、乾きが早い。
【０００６】
【発明の実施の形態】
以下、図面を参照しながら本発明に付いて説明する。
図１は本発明物干し具の実施形態の一例を示す正面図であり、図２は右側面図、図３は平面図である。
【０００７】
以下、図面を参照しながら本発明に付いて説明する。
図面において１は脚体であって、図１の如く所定間隔をおいて左右一対設けられている。脚体１は２本の脚杆１１，１２がＸ形状に交差され、この交差部分において回動継手４により開閉回動可能に軸着されたものである。脚杆１１、１２としては、ステンレス鋼管や、アルミニウム合金管や、合成樹脂被覆鋼管等から作製された金属管が一般的に使用される。
【０００８】
脚杆１１、１２の上端部間には物干し用横桟２が架設される。通常はエルボ状の継手を介して脚杆１１、１２と物干し用横桟２が接続されるが、脚杆１１、１２または物干し用横桟２のいずれかの端部をほぼ直角に曲折して直接嵌合するようにしてもよい。短い脚杆１１の上端には物干し用横桟２と平行且つ同一高さとなる水平杆３が配設されている。この物干し用横桟２及び水平杆３もステンレス鋼管や、アルミニウム合金管や、合成樹脂被覆鋼管等から作製された金属管が一般的に使用される。洗濯物を干すときに物干し用横桟２と水平杆３に亘って干せば洗濯物に隙間がある状態で干すことができるので、風通しが良く洗濯物が乾きやすい。
【０００９】
脚杆１１、１２は同じ長さでもよいが、長いものと短いものとの組合せにすれば物干し用横桟２の高さが異なり、干し物の日当たりが良好となり好ましい。また、物干し用横桟２及び水平杆３は１本の管体であってもよいが、大径管と小径管とからなり、大径管の端部に小径管の端部が挿入されて伸縮自在となされ、物干し具全体が幅方向に伸縮可能となされていれば使用状態に応じて物干し具の大きさを変えられるので好適である。さらに、物干し用横桟２にはハンガー掛け用孔やピンチ掛け用フックが複数個設けられた横長の板状体が下向きに設けられているので、ハンガーが風などで動きにくく好適である。この板状体は段違いの物干し用横桟２の両方に設けられていてもよいが、物干し用横桟２に高低差がある場合、高い方の物干し用横桟２にのみ設けられていていると丈の長い衣類等をハンガーに掛けたまま干せ、好都合である。
【００１０】
相対する脚体の回動継手４は連結杆５により連結され、物干し用横桟２と共働して物干し具を強固なものとしている。物干し用横桟２や水平杆３を前記したように伸縮自在とするときは連結杆５も伸縮自在とするのは当然である。
【００１１】
本発明物干し具は、使用の際には脚体１の脚杆１１，１２を回動させて開脚して設置する。又、収納時には前記脚杆１１，１２を逆方向に回動させて閉脚すれば収納場所をとらずに収納することができる。
【００１２】
【発明の効果】
上述の如く、本発明物干し具は、２本の脚杆が回動継手によりＸ形状に交差軸着されて開閉自在となされた脚体が、相対向して左右一対設けられ、該一対の脚体の各脚杆上端部間に物干し用横桟が架設されてなる物干し具に於いて、脚体を開いて物干し具を地表に立設したとき物干し用横桟と平行且つ同一高さとなる水平杆が物干し用横桟と適宜間隔をおいて配設されたもので、洗濯物の風通しが良く、乾きが早い。
【図面の簡単な説明】
【図１】本発明物干し具の実施形態の一例を示す正面図である。
【図２】本発明物干し具の実施形態の一例を示す右側面図である。
【図３】本発明物干し具の実施形態の一例を示す平面図である。
【符号の説明】
１    脚体
１１  短い脚杆
１２  長い脚杆
２    物干し用横桟
３    水平杆
４    回動継手
５    連結杆
【図１】
2005000272.tif 000003
【図２】
2005000272.tif 000004
【図３】
2005000272.tif 000005
(57)【要約】【課題】本発明は、洗濯機の機能に関し、水を貯える装置を取り付ける方法に関するもの。【解決手段】発明は、洗濯機の給水開閉電磁バルブの先に、ホース及びタンクを取付け、タンクに水を貯めた後に、排水ホースにより洗濯槽に水を給水する事で、一連の水の流れを作る事により絶えず、タンクに新鮮な水を貯える事を特徴とする。【選択図】      図１
2005000274.tif 000002
【特許請求の範囲】
【請求項１】
洗濯機（１２）の給水開閉電磁バルブ（３）の先に、給水ホース（５）をおよび、タンク（１１）を取付け、タンク（１１）に新鮮な水を貯えます。満水になった水はタンク（１１）に取付けた排水ホース（６）により、洗濯機給水口（４）より洗濯槽に給水する、以上の構成により一連の水の流れを作る事により、水が確保出来る洗濯機である。
【発明の詳細な説明】
【０００１】
【発明の属する技術分野】
本発明は、給水開閉電磁バルブ以降に装置を取り付け、装置に水圧のかからない状況でタンクに飲料水を確保出来る様にした洗濯機に関するもの。
【０００２】
【従来の技術】
洗濯機と水道口間に貯水用圧力タンクを置き水の確保している事例はあったが、洗濯機下部に、水を確保する装置を組み合わせた構造のものはなかった。
【０００３】
【特許文献１】
特開平９−４９２５４号公報
【特許文献２】
特開平８−２８４２１３号公報
【実用新案文献１】
実公昭６３−６２７８号公報
【０００４】
【発明が解決しようとする課題】
以上、述べた従来の洗濯機の機能になかったものに、本発明を組合わせる事で水の確保が出来る事を目的とした。
【０００５】
【課題を解決するための手段】
本発明は、洗濯機（１２）の給水開閉電磁バルブ（３）の先に給水ホース（５）及び、タンク（１１）を取付け、タンク（１１）に新鮮な水を貯えます。タンク入水口（７）はタンク（１１）底面近くまで延ばし水の循環をよくさせ、タンク出水口（８）はタンク（１１）上面部に取付ける事でタンク内に空気をためず、新鮮な水を貯える事が出来る構造とした。
【０００６】
【実施例】
次に、本発明について図面を参照して説明する。
【０００７】
第１図は本発明の基本構成図であり、第２図は応用実施図です。基本構成図は水道口（１）からホース（２）と接続され給水開閉電磁バルブ（３）及び（１５）によって水の給水、停止が制御され給水ホース（５）からタンク（１１）に接続され、水はタンク（１１）に貯られていきます。満杯になると水は排水ホース（６）から洗濯機給水口（４）に送られ洗濯槽に貯められます。これは一連の水の流れを作る事で、常時水の確保が出来る。緊急時はタンクの水取出しバルブ（１０）にポリタンク（１４）のホースを接続、次にタンクのエアーポンプ接続バルブ（９）にエアーポンプ（１３）を接続、エアーポンプを手で押すと、タンク（１１）内にエアーが送られ圧力がかかり、ポリタンク（１４）に水が汲み出され、非常時の飲料水として使用する事が出来る発明。
【０００８】
【発明の効果】
以上説明したように、本発明は、洗濯時に水道水が一連の流れを作り、新鮮な水が絶えず貯えられており、非常時はタンクより一時飲料水として使用する事が出来る発明です。
【図面の簡単な説明】
【図１】本発明の基本構成図
【図２】図１の応用実施図
【符号の説明】
１    水道
２    ホース
３    給水開閉電磁バルブ
４    洗濯機給水口
５    給水ホース
６    排水ホース
７    タンク入水口
８    タンク出水口
９    エアーポンプ接続バルブ
１０    水取出しバルブ
１１    タンク
１２    洗濯機
１３    エアーポンプ
１４    ポリタンク
１５    開閉電磁バルブ
【図１】
2005000274.tif 000003
【図２】
2005000274.tif 000004
(57)【要約】【課題】塩素臭が存在する空間の塩素臭を除去する塩素臭又は二酸化塩素臭除去方法、並びに塩素臭及び二酸化塩素臭の除去装置を提供することである。【解決手段】塩素臭又は二酸化塩素臭が存在する空間にビタミンＣが含まれている溶液を噴霧するビタミンＣ噴霧手段１０と、前記噴霧する溶液の量を前記空間の塩素濃度又は二酸化塩素濃度と前記空間のビタミンＣ濃度の割合が１：２０〜４０になるように調整するビタミンＣ噴霧量調整手段１８と、前記ビタミンＣ噴霧手段１０によって噴霧される溶液の温度を２６〜３２度に調整するビタミンＣ加温手段１４と、を備えた塩素臭及び二酸化塩素臭の除去装置である。【選択図】図１
2005000227.tif 000002
【特許請求の範囲】
【請求項１】
塩素臭又は二酸化塩素が存在する空間にビタミンＣが含まれている溶液を噴霧することにより、該塩素臭及び二酸化塩素臭を除去することを特徴とする塩素臭及び二酸化塩素臭の除去方法。
【請求項２】
前記噴霧する溶液の量を前記空間の塩素濃度又は二酸化塩素濃度と前記空間のビタミンＣ濃度の割合が１：２０〜４０になるように調整して前記溶液を噴霧することを特徴とする請求項１記載の塩素臭及び二酸化塩素臭の除去方法。
【請求項３】
前記溶液の温度を２６〜３２度に調整して前記溶液を噴霧することを特徴とする請求項１又は２記載の塩素臭及び二酸化塩素臭の除去方法。
【請求項４】
塩素臭又は二酸化塩素臭が存在する空間にビタミンＣが含まれている溶液を噴霧するビタミンＣ噴霧手段を備えたことを特徴とする塩素臭及び二酸化塩素臭の除去装置。
【請求項５】
前記噴霧する溶液の量を前記空間の塩素濃度又は二酸化塩素濃度と前記空間のビタミンＣ濃度の割合が１：２０〜４０になるように調整するビタミンＣ噴霧量調整手段をさらに備えていることを特徴とする請求項４記載の塩素臭及び二酸化塩素臭の除去装置。
【請求項６】
前記ビタミンＣ噴霧手段によって噴霧される溶液の温度を２６〜３２度に調整するビタミンＣ加温手段をさらに備えていることを特徴とする請求項４又は５記載の塩素臭及び二酸化塩素臭の除去装置。
【発明の詳細な説明】
【０００１】
【発明の属する技術分野】
本発明は、塩素臭又は二酸化塩素臭が存在する空間の塩素臭又は二酸化塩素臭を除去する塩素臭及び二酸化塩素臭の除去方法、並びに塩素臭及び二酸化塩素臭の除去装置に関する。
【０００２】
【従来の技術】
近年、例えば、衛生管理が十分でない、いわゆる健康ランド型公衆浴場やプールなどにおけるレジオネラ属菌の感染事故が問題となっている。このため、厚生労働省は、対策マニュアルを発行し、保険所や組合などを通じてレジオネラ属菌の感染事故の危険性について衛生管理の指導を行っている。
【０００３】
浴槽のお湯やプールの水に含まれているレジオネラ属菌を除去する方法として、例えば次亜塩素酸ソーダを浴槽のお湯やプールの水内に入れるなど塩素を利用する方法や、二酸化塩素を用いる方法などがある。また、塩素中和剤としてビタミンＣを用いることは、従来から知られている（特開２００１−１２８８７５）。
【０００４】
【特許文献１】
特開２００１−１２８８７５  第１頁
【０００５】
【発明が解決しようとする課題】
しかしながら、塩素や二酸化塩素を利用してレジオネラ属菌を除去する方法は、浴室内が塩素臭又は二酸化塩素臭で満たされてしまうため、快適な入浴を提供することができないという問題がある。また、例え、ビタミンＣを用いて残留塩素を中和しても浴室内の塩素臭や二酸化塩素臭を消すことができない。
【０００６】
そこで、本発明は、塩素臭又は二酸化塩素が存在する空間の塩素臭又は二酸化塩素臭を除去する塩素臭及び二酸化塩素臭の除去方法、並びに塩素臭及び二酸化塩素臭の除去装置を提供することを目的とする。
【０００７】
【課題を解決するための手段】
以上の目的を達成するため、本発明は、塩素臭又は二酸化塩素が存在する空間にビタミンＣが含まれている溶液を噴霧することにより、該塩素臭及び二酸化塩素臭を除去することを特徴とする塩素臭及び二酸化塩素臭の除去方法である。
【０００８】
このように本発明に係る塩素臭除去方法によれば、ビタミンＣが含まれている溶液を塩素臭が存在する空間に霧状に噴出することにより、塩素臭を除去することができる。
【０００９】
本発明に係る塩素臭除去方法において、前記噴霧する溶液の量を前記空間の塩素濃度又は二酸化塩素濃度と前記空間のビタミンＣ濃度の割合が１：２０〜４０になるように調整して前記溶液を噴霧することが好ましく、前記溶液の温度を２６〜３２度に調整して前記溶液を噴霧することが好ましい。ビタミンＣが含まれている溶液をこのような範囲で調整することにより、塩素臭又は二酸化塩素臭の除去を効率的に行うことができる。
【００１０】
また、本発明は、塩素臭又は二酸化塩素臭が存在する空間にビタミンＣが含まれている溶液を噴霧するビタミンＣ噴霧手段を備えたことを特徴とする塩素臭及び二酸化塩素臭の除去装置である。本発明に係る塩素臭及び二酸化塩素臭の除去装置は、前記噴霧する溶液の量を前記空間の塩素濃度又は二酸化塩素濃度と前記空間のビタミンＣ濃度の割合が１：２０〜４０になるように調整するビタミンＣ噴霧量調整手段をさらに備えていることが好ましく、前記ビタミンＣ噴霧手段によって噴霧される溶液の温度を２６〜３２度に調整するビタミンＣ加温手段をさらに備えていることが好ましい。
【００１１】
【発明の実施の形態】
次に、本発明に係る塩素臭及び二酸化塩素臭の除去装置の実施例について図面に基づいて説明する。図１は、本実施例に係る塩素臭及び二酸化塩素臭の除去装置の概略図である。本実施例に係る塩素臭及び二酸化塩素臭の除去装置は、浴室Ａ内にビタミンＣが含まれた水溶液を噴霧する装置であり、ビタミンＣが含まれた水溶液を噴霧するノズル１０と、ビタミンＣが含まれた水溶液を貯蔵する貯蔵槽１２と、貯蔵槽１２内の水溶液を加温するヒータ１４と、貯蔵槽１２とノズル１０を連結するパイプ１６と、パイプ１６に設けられ、貯蔵槽１２内の水溶液をノズル１０まで供給しノズル１０からその水溶液を噴霧させるポンプ１８と、を備えている。
【００１２】
貯蔵槽１２に貯蔵される水溶液は、そのビタミンＣの濃度が３〜８％に調整され、ヒータ１４によって２６〜３２℃に加温されている。また、ポンプ１８は、浴室Ａ内の浴槽Ｂから蒸発した塩素濃度又は二酸化塩素濃度とビタミンＣ濃度の割合が１：２０〜４０になるように、ノズル１０から噴霧されるビタミンＣの水溶液の量を調整するよう構成されている。
【００１３】
【発明の効果】
以上のように、本発明に係る塩素収及び二酸化塩素臭除去方法、並びに塩素臭及び二酸化塩素臭の除去装置によれば、ビタミンＣが含まれている溶液を噴霧することにより塩素臭及び二酸化塩素臭を除去することができので、塩素臭又は二酸化塩素臭が存在する空間の塩素臭又は二酸化塩素臭を除去する塩素臭及び二酸化塩素臭の除去方法、並びに塩素臭及び二酸化塩素臭の除去装置を提供することができる。
【図面の簡単な説明】
【図１】本発明に係る塩素臭及び二酸化塩素臭の除去装置の実施例の使用状態を示す概略図である。
【符号の説明】
１０        ノズル
１４        ヒータ
１８        ポンプ
【図１】
2005000227.tif 000003
(57)【要約】      （修正有）【課題】競技大会の褒章の賞状入れ賞状額縁・トロフィ・盾に記念品入れ空間を提供する。【解決手段】競技大会の記念品には、競技の組合せ表・大会要綱や、記念メダル・選手の紹介・写真・新聞記事等のがある。従来、前記記念品が別の箱などに保管されていた為に、賞状やトロフィ・盾などを手にしても、競技大会の思い出の記念品が別の場所に保管されている為、記念品を取出さず記憶が甦る内容が個人の記憶力のみの再現であった。しかし、今回の発明は、競技大会の褒章の品の賞状（額にいれた状態）・トロフィ・盾に、記念品入れ空間と蓋を提供することで、前記競技大会に関係した記念品の数々を見ることで、記憶を甦らす効果が期待できる。また、このようは、保管方法は卒業証書、認定試験、記念写真などを賞状用額縁に入れ関連する書類を保管する方法も提供できる。【選択図】        図３
2005000397.tif 000002
【特許請求の範囲】
【請求項１】
賞状用額縁に記念品を保管する記念品入れ空間を提供する。
【請求項２】
トロフィに記念品を保管する記念品入れ空間を提供する。
【請求項３】
盾に記念品を保管する記念品入れ空間を提供する。
【請求項４】
前記請求項１・２・３に蓋を設け、記念品の出し入れを容易にする。
【発明の詳細な説明】
【０００１】
【発明が属する技術分野】
本発明は、賞状用額縁・トロフィ・盾に記念品を保存する記念品入れ空間と蓋に関するものである。
【０００２】
【従来の技術】
競技大会などの優勝・準優勝等において、賞状およびトロフィ・盾などが記念として一般的に与えられる。実際に、賞状は額縁にいれ掲示され、トロフィ・盾は書棚や記念品棚に飾られることで実用上十分であった。
【０００３】
しかし、競技大会の賞状・トロフィ・盾以外の競技の組合せ表・競技大会の地域や会場などの記念品やそのときの新聞記事等などの保管に苦慮しているという欠点がある。
【０００４】
一般的な用途において、この欠点は記念品の保管を有意義に関連づけるように保管できなければ大きな障害である。具体的には、競技大会と記念品が別の競技大会の記念と勘違いしたり間違ったり、思い出さなかったりする問題がある。
【０００５】
この改善策として、故人の歴証文書・墓誌などを物故者の影像写真入れの裏側に保管する方法や婚約の証を写真入れ婚約指輪を保管する方法がある。しかし競技大会の褒章の賞状入れ・トロフィ・盾に写真・新聞記事・記念メダル・記念コイン・記念キーホルダなどの記念品の保管が十分に空間がある保管方法はない。
【特許文献１】特開平６−１４１９６２号公報
【特許文献２】特開２００３−３４３６１号公報，
【発明が解決しようとする課題】
解決しようとする問題点は、記念品の保管を競技大会の褒賞の賞状を入れた賞状用額縁・トロフィ・盾に記念品入れ空間を提供する。
【０００６】
【課題を解決するための手段】
本発明は、賞状用額縁・トロフィ・盾に記念品入れ空間と蓋を設けることを最も主要な特徴とする。
【０００７】
本発明の記念品入れ空間は、競技大会の褒章の記念品に記念品入れ空間を有機的に設ける事により各大会の記念品が整理し易い利点がある。
【０００８】
賞状用額縁・トロフィ・盾に記念品入れ空間を設けることで記念品ケースを実現した。
【発明の実施の形態】
以下、本発明の一実施の形態を図に従って説明する。
【０００９】
褒章用の記念品である賞状・トロフィ・盾は、個人や団体の励みであり記念である。このような名誉の品々を記念品入れ空間を設けることにより、保管できることは意義あることである。
【００１０】
【実施例】
図２は、競技大会の賞状を入る額縁を記念品が、十分入る記念品空間と記念品が、容易に出し入れできるように蓋を設けた前記賞状入れ額縁を提供する。
【００１１】
図３は、トロフィーの土台に、記念品入れ空間と蓋を設け、記念品の出し入れが容易にした実施例である。
【００１２】
図４は、盾の部分に、記念品入れ空間と蓋を設けて、記念品が出し入れできるようにした実施例である。
【００１３】
【発明の効果】
以上説明したように、競技大会の褒章の賞状・トロフィ・盾を経年後に、そのときに発生したもろもろの記念品を関連付けて保管できるように発明した。記念品入れ空間と記念品が出し入れ容易な蓋を設けることで、記念品の管理が容易になる。
【図面の簡単な説明】
【図１】は、図２を説明する為の賞状用額縁の斜視図である。
【図２】賞状用額縁に記念品入れ空間と蓋の実施方法を示した説明図である。（実施例１）
【図３】トロフィの土台に記念品入れ空間と蓋の実施方法を示した説明図である。（実施例２）
【図４】盾に記念品入れ空間と蓋の実施方法を示した説明図である。（実施例３）
【符号の説明】
【００１４】
１    額縁
２    ガラス
３    額縁表部位
４    額縁裏部位
５    賞状固定板押さえ
６    記念品入れ空間
７    賞状固定板
８    賞状
９    記念品
１０  トロフィ
１１  カップ部位
１２  土台
１３  記念品入れ空間
１４  蓋
１５  蓋押さえ
１６  記念品
１７  トロフィプレート
２０  盾絵柄
２１  盾プレート
２２  蓋押さえ板
２３  盾裏蓋
２４  記念品入れ空間
２５  支え板
２６  記念品
【図１】
2005000397.tif 000003
【図２】
2005000397.tif 000004
【図３】
2005000397.tif 000005
【図４】
2005000397.tif 000006
(57)【要約】【課題】肉体的及び精神的にリラックスするための装置を提供する。【解決手段】低周波振動子を風呂の湯船の中に設置し、ＣＤ、ＭＰ３等の音楽の低音部分で前記低周波振動子を駆動し、その振動を水中に伝えることにより、人体のマッサージを行う。【選択図】    図２
2005000400.tif 000002
【特許請求の範囲】
【請求項１】
低周波振動子を風呂の湯船の中に設置し、ＣＤ、ＭＰ３等の音楽の低音部分で前記低周波振動子を駆動し、その振動を水中に伝えることにより、人体のマッサージを行う水中音波マッサージ装置。
【発明の詳細な説明】
【０００１】
【発明の属する技術分野】
本発明は、低周波振動子を用いて水中に発せられた音波の低周波により、入浴をしながら人体のマッサージ、ひいては痩身を可能とする水中音波マッサージ装置に関する。
【０００２】
【従来の技術】
人体の脂肪を取り除き痩せるための装置としては、身体トレーニング装置、身体運動補助装置、筋電流装置等、機械装置または筋電流により痩身を期待する装置が知られている。
【０００３】
しかしながら、上記の装置は、効果の少ないもの、或いは殆ど効果を期待できないものが多いのが実情である。
【０００４】
すなわち、身体トレーニング装置は肉体的、精神的持続力を要求されるばかりか、筋肉がつくことにより痩身とは反対の効果を生じる場合もある。また身体運動補助装置、筋電流装置は一度に身体の一部分のみに影響をあたえるものであり、全身の痩身を行うものではない。尚、筋電流装置の場合、電流、電圧が低い場合効果は殆ど見られず、電流、電圧を高くした場合、皮膚の火傷等の被害を生ずる場合もあり人体にとって非常に危険である。
【０００５】
【発明が解決しようとする課題】
本発明は上記のような実情を鑑みなされたものであって、その目的とするところは肉体的、精神的持続力を必要とすること、或いは効果が薄いもの、火傷等の危険があるものではなく、入浴中に湯船の中で使用する人間の好みの音楽により、リラックスしながら身体全体の痩身マツサージをすることを目的とする。
【０００６】
【課題を解決するための手段】
すなわち本発明の要旨は、低周波振動子を風呂の湯船の中に設置し、ＣＤ、ＭＰ３等の音楽の低音部分で前記低周波振動子を駆動し、その振動を水中に伝えることにより、人体のマッサージを行う水中音波マッサージ装置に存する。
より具体的には、本発明の水中音波マッサージ装置は、ＣＤ，ＭＤ，ＭＰ３プレイヤー等の音源装置、低周波フィルター、低周波増幅装置、低周波振動子で構成される。ここで、人体マッサージの点からは、上記低周波振動子と共に超音波振動子を設置し、さらに上記音源装置と共に超音波発生装置を設置して、低周波振動子の駆動と共に、超音波振動子を駆動させるようにしてもよい。
上記低周波振動子及び／又は超音波振動子部分は、振動を効率良く伝えるために防水の板状にし、吸盤等にて湯船の内側の水中に設置されることが好ましい。
また、上記音源装置、低周波フィルター、低周波増幅装置、及び低周波振動子は、防水ケーブルにより互いに接続されて使用される。尚、音源装置に防水処理を施すことによって、音源装置と低周波振動子とを一体にして湯船の内側に設置して使用することも可能である。
【０００７】
【発明の実施の形態】
以下本発明を図面に示す実施例に基づいて詳細に説明するが、本発明はその要旨を超えない限り実施例に限定されるものではない。
【０００８】
図１は、水中音波マッサージ装置の各装置の接続モデルである。水中音波マッサージ装置は、音源（１）、低音フィルター（２）、低周波増幅器（３）、低周波振動子（４）、及び防水スピーカー（１３）より構成され、音源（１）、低音フィルター（２）、低周波増幅器（３）、低周波振動子（４）、及び防水スピーカー（１３）は、それぞれ防水ケーブル（１１）又は（１２）で互いに接続されている。
音源（１）については、通常のＣＤ、ＭＤ、ＭＰ３プレイヤー等を用いる。ここで、音源（１）と防水スピーカー（１３）とを防水ケーブル（１１）で接続し、音源（１）を駆動し風呂場の空気中に音楽を流す。湯船に浸かる人は、この音楽を聴くことによりまず精神的にリラックスできるようになる。
低周波フィルター（２）は、音源（１）から低周波のみを取り出すために用いられる。低周波増幅器（３）は、低音フィルター（２）によって取り出した低周波を増幅する回路である。低周波振動子（４）は、防水処理を施した低周波振動子を湯船の中の水中（不図示）に設置をしたものである。低周波増幅器（３）で増幅された低周波によって低周波振動子（４）が駆動され、その振動が水中を伝播することにより、人体のマッサージを行って人体を肉体面からリラックスさせると共に、この振動により人体が痩せる効果も十分に期待される。
尚、本発明においては、上記低周波振動子と共に、超音波振動子（不図示）を湯船の中の水中に設置して、低周波による人体マッサージと超音波による人体マッサージとを併用することが好ましい。
【０００９】
図２は、本発明の水中音波マッサージ装置の好ましい外観及び設置例を示したものである。音源装置（５）は、音源の一般的な形状を示したものであり、低周波フィルターと低周波増幅器を内臓し、スピーカーも有する。音源の外装は防水仕様とする。低周波振動子及び超音波振動子を格納する部材（６）は、低周波振動子（７）及び超音波素子（８）を内装した樹脂板等からなる部材であり、防水性のコードにより音源装置（５）や必要に応じて超音波発生装置（不図示）と接続される。また、上記部材（６）は、吸盤（９）等の部材により湯船（１０）の内壁に吸着されている。
【００１０】
平素の使用においては、音源装置（５）は、湯船の外に設置する。そして、低周波振動子及び超音波振動子を格納する部材（６）は、湯船の中の入浴する湯の中に設置される。本発明の水中マッサージ装置を利用する人は、湯船に浸かって、好みの音楽を聴きながら、部材（６）から伝播される低周波（及び必要に応じて超音波）による痩身マッサージを受けることになる。
【００１１】
【発明の効果】
本発明の水中マッサージ装置は、入浴という精神的にリラックスする状態の中で更に好みの音楽を聞きながら、その音楽から取り出した低周波振動子より発生した低音波、及び必要に応じて超音波振動子より発生した超音波により、肉体的、精神的努力を必要とせずにマッサージひいては痩身を可能とする。このため、本発明の水中マッサージ装置は、前述したように従来のような痩身装置のように肉体的持続力、精神的持続力、及び忍耐力を必要とせず、かつ安全性も高いという利点がある。
【図面の簡単な説明】
【図１】本発明の装置の接続概念
【図２】本発明の実際の形状例及び設置例
【符号の説明】
１      音源
２      低音フィルター
３      低周波増幅器
４      低周波振動子
５      音源、低音フィルター、低周波増幅器、スピーカーを音源装置としてまとめたもの
６      低周波振動子及び必要に応じて超音波振動子を格納する部材
７      低周波振動子
８      超音波振動子
９      吸盤
１０    湯船
【図１】
2005000400.tif 000003
【図２】
2005000400.tif 000004
(57)【要約】【課題】静音運転し、収容する土壌による抵抗力が少なく、そして大量処理に適した汚染土壌再生装置を提供するものである。【解決手段】回転するドラムの内壁に沿ってスパイラルに連続する突片を形成し、この突片で土壌を搬送しながら回転させて攪拌するるようにすることで騒音の発生が抑えられ、また一側よりのバーナー放射が中央スペースを通過し熱効率の良い焼却処理を行う。【選択図】図１
2005000743.tif 000002
【特許請求の範囲】
【請求項１】
土壌の投入口と排出口兼火炎放射口を有する回転するドラムの内壁に添ってスパイラルに連続して突片が形成されている汚染土壌再生装置
【請求項２】
ドラムが基台上に据付けされモーターにて回転するようになっている請求項１に記載の汚染土壌再生装置
【請求項３】
土壌の投入口に土壌の塊、石等を除くための選別部を備えたホッパーを配置してある請求項１に記載の汚染土壌再生装置
【請求項４】
土壌の投入口および放射の排気口に排気処理装置を付属させてある請求項１に記載の汚染土壌再生装置
【発明の詳細な説明】
【０００１】
【発明の属する技術分野】
本発明は、石油の油槽所や精製所、ガソリンスタンド跡地などでの石油系炭化水素（ガソリン、重油、軽油、灯油）による汚染土壌を浄化し土壌の再生をするための汚染土壌再生装置に関するものである。
【０００２】
【従来の技術】
近年、石油の精製所、石油サービスステーション跡地などでの石油等の油分、カドミウム、六価クロムをはじめとする重金属による土壌汚染に止まらず宅地における汚染まで大きな環境問題となっている。
従来、土壌の殺菌装置が種々提案されている。実用新案登録第３０５２１４３号の回転式ドラムの傾斜上方より土砂を投入し、他方より強力バーナーで直接土砂に火炎を吹き付け、土砂内に含まれる有害菌、害虫および雑草種子を死滅させる焼土殺菌装置が知られている。
また、第３者出願の特開２００３−３８０４３公開公報に、ドラム状収容槽内に、回転する水平軸に羽根を取付けた攪拌手段にて土壌を攪拌し、蒸気を噴射して、殺菌を行なう植栽土壌の殺菌攪拌装置が知られている。
【０００３】
【発明が解決しようとする課題】
実用新案登録第３０５２１４３号の方式は、バーナー処理による有害菌、害虫等の死滅に適しているが土壌の搬送の点から左程長いドラムを使用することができず土壌の大量な殺菌処理に不適である。
後者の特開２００３−３８０４３の装置は内部の水平軸に取付けた羽根が土壌内に回転して進入して土壌を攪拌するため、抵抗の強い粘度のある土壌や大量の土壌の処理は負荷が掛りすぎ、装置が破損したり、またより強力な羽根およびモーターを用意せねばならず装置が嵩張ったり、騒音が大きく、粉塵の飛散、またコストが掛る。さらにまた羽根および回転軸が中央に位置するため蒸気の通りが悪く熱効率が劣りしたがって処理効率が悪い。
【０００４】
【課題を解決するための手段】
そこで本発明は、石油サービスステーションや宅地などの市街地にも適用できるように静音運転し、収容する土壌による抵抗力が少なくそして大量処理に適し、かつまた低コスト、短期間で処理できる汚染土壌再生装置を提供するものである。
そのため本発明は、前記従来のものとは逆に、ドラムの内壁に沿って連続する突片、すなわちスパイラルに連続する突片にて、土壌を回転させて攪拌しながら搬送できるようにしたものである。そのため騒音が発生しない静音タイプとなっている。また、一側よりの放射は障害なく中央を通過できるので熱効率の良い焼却処理が行える。
【０００５】
【発明の実施の態様】
本発明を図に示す実施例にしたがって詳細に説明する。
土壌の投入口１ａと排出口兼火炎放射口１ｂを有する筒状のドラム１、バーナー２そしてサイクロンなどの排気処理装置３を付属してなり、ドラム１は基台４上に据付けされモーター５にて回転できるようになっている。
ドラム１は、図２に拡大して示すように、内壁に添って突片６がスパイラルに連続して形成されている。なお、図２にては、突片をさらにねじったものを示してあり、より搬送性が増すようにしてある。
【０００６】
洗浄済み土壌のドラムの排出口１ｂには、バーナー２、そして投入口１ａには土壌の塊、石等を除くための選別部を備えたホッパー７を配置してある。この投入口１ａはバーナーによる放射の排気口でもあるため、環境対応のためにさらにサイクロン等の排気処理装置を配置してある。
【０００７】
本発明装置の使用は、まず、投入する土壌を、回転時の騒音を避けるため土壌投入部７で、塊、石を選別して除外した後、投入口１ａよりドラム内に投入される。ドラム内に投入された土壌は、ドラム内壁に形成されたスパイラルな連続突片６により回転され、攪拌されながら搬送され、ドラム内を排出口１ｂ方向へ回転しながら搬送される。
【０００８】
ドラム１の排出口１ｂに配置されたバーナー２の放射は、ドラム内の中央に形成されるスペースｓに行われる。回転して搬送された土壌は、この放射火炎により何度も照射されて洗浄処理される。その後、排出口１ｂより排出される。
なお、投入口１ａには火炎放射の通気および環境配慮のために放射を排気処理をするターボエゼクタ８そしてサイクロン９からなる排気処理装置を付属させてある。
【０００９】
また、バーナーの放射量の調整および回転ドラムの回転速度の調整により回転ドラム内の土壌の搬送速度を調整して、焼土時間の短縮、すなはち処理時間の調整を行うことができる。
さらには、土壌投入口１ａの方向が高くなるようにドラム１を傾斜させることでも搬送速度を増すことができる。
【００１０】
【発明の効果】
本発明によれば、ドラム内壁に沿って形成したスパイラルな連続突片にて土壌を搬送しながら攪拌し、かつ火炎放射して処理するので、土壌を十分に火炎放射処理できる。さらに従来装置のように土壌内に羽根を突入させて回転させるものとは異なり、ドラムの回転のみで土壌を内壁に沿って滑らせながら攪拌搬送するので騒音の発生を低く抑えることが可能である。さらにまた、装置の構造が複雑でないため故障、損傷などの恐れが回避でき経済的である。
【図面の簡単な説明】
【図１】本発明装置の全体図
【図２】回転ドラムの部分拡大断面図
【符号の説明】
１      ドラム
２      バーナー
３      排気処理装置
４      基台
５      モーター
６      突片
７      投入部
８      ターボエゼクタ
９      サイクロン
【図１】
2005000743.tif 000003
【図２】
2005000743.tif 000004
(57)【要約】【課題】硬質ゴムリング５の中心孔５ａに紫外線ランプ３を通し、この硬質ゴムリング５をモータ（図示せず）等で移動し、硬質ゴム５の中心孔５ａで紫外線ランプ３の表面の汚物を削ぎ落とすようにしているが、この方法では、汚物を無理やり落とすため、紫外線ランプ３に無理な力がかかって紫外線ランプ３を割ってしまうという問題があった。【解決手段】防水ケース６の端部６ａにランプ受け６ｂと押えバネ６ｃが装着され、この防水ケース６の内部に超音波振動子７が装着され、超音波振動子７の端部は防水ケース６の一端に固着された超音波伝達部材８が構成され、超音波伝達部材８の防水ケース６のランプ受け６ｂと押えバネ６ｃによって、紫外線ランプ３の端部３ａを挟持し、紫外線ランプ３の端部３ａの先端が防水ケース６の端部６ａに接触するように構成されている。【選択図】        図１
2005000738.tif 000002
【特許請求の範囲】
【請求項１】
下水管の内部に紫外線ランプを装着し、前記下水管を流れる汚水に前記紫外線ランプから紫外線を照射して汚水を殺菌するようにした紫外線殺菌処理装置において、前記紫外線ランプの端部に超音波振動子を内蔵した超音波伝達部材を装着し、該超音波伝達部材の超音波振動子から伝達される超音波によって、前記紫外線ランプを超音波振動させ、前記紫外線ランプに汚物の付着を防止するようにしたことを特徴とする紫外線殺菌処理装置。
【請求項２】
前記紫外線ランプを装着するソケット側に前記超音波振動子を内蔵した超音波伝達部材を装着することを特徴とする請求項１記載の紫外線殺菌処理装置。
【発明の詳細な説明】
【０００１】
【発明が属する技術分野】
本発明は、紫外線殺菌ランプの汚れを除去するようにした紫外線殺菌処理装置に関するものである。
【０００２】
【従来の技術】
下水等の汚水処理工程において、塩素殺菌に代わって、図３に示すように、下水管１の中にソケット２によって支持された複数本の紫外線ランプ３が装着され、ソケット２に下水管１の外部に電源４が接続され、この電源４から電力を供給された紫外線ランプ３が点灯し、下水管１を流れる汚水を紫外線殺菌するようにしたものが知られており、この紫外線ランプ３から照射される紫外線は強力で、副生成物を出さない等の利点があるが、紫外線ランプ３を下水管１の汚水の中に浸漬するために、汚物が紫外線ランプ２の表面に付着して殺菌効果を弱めるという問題がある。
【０００３】
【発明が解決しようとする課題】
この問題を解決するために、従来では、図４に示すように、硬質ゴムリング５の中心孔５ａに紫外線ランプ３を通し、この硬質ゴムリング５をモータ（図示せず）等で移動し、硬質ゴム５の中心孔５ａで紫外線ランプ３の表面の汚物を削ぎ落とすようにしているが、この方法では、汚物を無理やり落とすため、紫外線ランプ３に無理な力がかかって紫外線ランプ３を割ってしまうという問題があり、又、紫外線ランプ３の表面に汚れが付着しにくい樹脂をコーティングする方法も知られているが、紫外線ランプ３からの紫外線の照射力を弱めたり、さらに、紫外線ランプ３が高価になるという欠点があった。
【０００４】
【課題を解決しようとする手段】
本発明は、下水管の内部に紫外線ランプを装着し、前記下水管を流れる汚水に前記紫外線ランプから紫外線を照射して汚水を殺菌するようにした紫外線殺菌処理装置において、前記紫外線ランプの端部に超音波振動子を内蔵した超音波伝達部材を装着し、該超音波伝達部材の超音波振動子から伝達される超音波によって、前記紫外線ランプを超音波振動させ、前記紫外線ランプに汚物の付着を防止するようにするものであり、又、前記紫外線ランプを装着するソケット側に前記超音波振動子を内蔵した超音波伝達部材を装着するものである。
【０００５】
【発明の実施の形態】
本発明は、下水管の内部に装着した紫外線ランプに超音波振動子を内蔵した超音波伝達部材を装着することにより、超音波伝達部材から紫外線ランプに超音波が伝達され、この伝達された超音波によって紫外線ランプが超音波振動するが、この超音波振動は高速振動（１秒間に数万回以上）のため、紫外線ランプの表面に付着又は堆積する汚物は紫外線ランプに付着又は堆積されにく、紫外線ランプは長時間紫外線の照射能力が落ちることはない。
【０００６】
【実施例】
図１は本発明の実施例の紫外線殺菌処理装置の構成図で、防水ケース６の端部６ａにランプ受け６ｂと押えバネ６ｃが装着され、この防水ケース６の内部に超音波振動子７が装着され、超音波振動子７の端部は防水ケース６の一端に固着された超音波伝達部材８が構成され、超音波伝達部材８の防水ケース６のランプ受け６ｂと押えバネ６ｃによって、図３に示す紫外線ランプ３の端部３ａを挟持し、紫外線ランプ３の端部３ａの先端が防水ケース６の端部６ａに接触するように構成されている。
【０００７】
このように構成した本実施例の紫外線殺菌処理装置では、発振器（図示せず）から発振出力を超音波振動子印加することにより、紫外線ランプ３が超音波振動するが、この超音波振動は高速振動（１秒間に数万回以上）のため、紫外線ランプ３の表面に汚水の汚物が付着されにくく、従って、紫外線ランプ３は長時間照射能力が落ちることはなく、汚水を殺菌し続けることができる。
【０００８】
なお、前記実施例では、超音波伝達部材８を紫外線ランプ３の端部に装着するようにしたが、図２に示すように、紫外線ランプ３を装着しているソケット２に超音波伝達部材８を装着しても、同様の効果を得ることができる。
【０００９】
【発明の効果】
以上説明したように、本発明の紫外線殺菌処理装置では、下水管の内部に装着した紫外線ランプに超音波振動子を内蔵した超音波伝達部材を装着することにより、超音波伝達部材から紫外線ランプに超音波が伝達され、この伝達された超音波によって紫外線ランプが超音波振動するが、この超音波振動は高速振動（１秒間に数万回以上）のため、紫外線ランプの表面に付着又は堆積する汚物は紫外線ランプに付着又は堆積されにく、紫外線ランプは長時間紫外線の照射能力が落ちることはないという利点がある。
【図面の簡単な説明】
【図１】図１は本発明の実施例の紫外線殺菌処理装置の一部の構成図である。
【図２】図２は本発明の他の実施例の紫外線殺菌処理装置の一部の構成図である。
【図３】図３は紫外線殺菌処理装置の側面図である。
【図４】図４は従来の紫外線殺菌処理装置の一部の構成図である。
【符号の説明】
１          下水管
２          ソケット
３          紫外線ランプ
４          電源
５          硬質ゴムリング
６          防水ケース
７          超音波振動子
８          超音波伝達部材
【図１】
2005000738.tif 000003
【図２】
2005000738.tif 000004
【図３】
2005000738.tif 000005
【図４】
2005000738.tif 000006
(57)【要約】【課題】室内の吸音力を容易に求めることができる吸音力測定方法を提供する。【解決手段】音源装置に入力される入力電圧を測定し、該入力電圧とスピーカーの定格感度レベルとから音源のパワーレベルを求め、受音装置で測定した室内音圧レベルと、前記音源パワーレベルとから吸音力を求める。【選択図】      図１
2005283545.tif 000002
【特許請求の範囲】
【請求項１】
音源装置に入力される入力電圧を測定し、該入力電圧とスピーカーの定格感度レベルとから音源のパワーレベルを求め、
受音装置で測定した室内音圧レベルと、前記音源パワーレベルとから吸音力を求めることを特徴とする吸音力測定方法。
【発明の詳細な説明】
【技術分野】
【０００１】
本発明は、吸音力測定方法に関する。
【背景技術】
【０００２】
室内空間の音響指標の一つである吸音力を調べる方法として、従来より、残響時間を測定する方法がある。
【発明の開示】
【発明が解決しようとする課題】
【０００３】
しかしながら、残響時間の測定には、音圧レベルの減衰過程を膨大なデジタルデータで記録する必要があり、複数回記録して平均したり、複数点での記録を行ったり、測定周波数帯域を複数にする場合には、それらすべての組み合わせに対応する回数の測定が必要になって、膨大な時間と手間を要するという問題がある。
【０００４】
特に、測定空間が住宅等の単純矩形の居室で、室形状による固有の音響モードを生じるような場合には、残響時間の測定は多点実施が必要となり、また、ＪＩＳ規定の周波数帯域よりも広い帯域の測定や、周波数帯域を分割した細かい測定が必要とされることもあって、それらの場合には、上記のような問題が顕著に現れる。
【０００５】
本発明は、上記のような問題点に鑑み、室内の吸音力を容易に求めることができる吸音力測定方法を提供することを課題とする。
【課題を解決するための手段】
【０００６】
上記の課題は、音源装置に入力される入力電圧を測定し、該入力電圧とスピーカーの定格感度レベルとから音源のパワーレベルを求め、
受音装置で測定した室内音圧レベルと、前記音源パワーレベルとから吸音力を求めることを特徴とする吸音力測定方法によって解決される。
【０００７】
この方法では、室内の音圧レベルが、音源のパワーと室内の吸音力によって決まるという理論を利用し、音源のパワーと室内の音圧レベルとから室内の吸音力を求めようとするものである。
【０００８】
即ち、音源のパワーは、音源装置に入力される実際の入力電圧と、スピーカーの定格感度レベル（基準電圧入力時の音響放射レベル）とから求まるので、音源装置に入力される実際の入力電圧を測定対象の一つとした。入力電圧は、アンプからのＬＲ（左右）出力の一方をオクターブ分析器で管理することなどにより容易に測定することができる。
【０００９】
なお、厳密には、入力電圧の増減によって放射パワーレベルがどの程度正確に追従するかをチェックしておくのが好ましく、チェックをする場合には、予め無響室などの室形状の影響を受けないところで測定を行っておけばよい。これにより、入力電圧と定格感度レベルとから求まる音源の放射パワーレベルを極めて正確に算出でき、測定対象となる室では、入力電圧だけの管理で済ませられる。
【００１０】
そして、測定対象である室において、入力される電圧に対する放射音圧レベルを、測定によって求めれば、その入力電圧と音圧レベルとから、室内の吸音力を求めることができる。なお、入力電圧と音圧レベルとの相関関係を安定したものにするため、入力電圧の分析は、音圧レベルの解析に用いるフィルター特性や時定数回路を共通にして行うのが好ましい。
【００１１】
また、測定される室内の音圧レベルは、音源からの距離や、室形状による固有の音響特性の影響を受けるが、距離については、無響室での測定時に、距離減衰の確認と、測定に伴う放射特性（指向性）の確認をしておくことで、室内の音圧レベル測定点と音源の位置関係を考慮した測定を行うことができる。また、室形状による固有のモード（室の幅寸法、奥行き寸法、高さ寸法のうちの最も長い寸法を半波長とする周波数で定常波を生じる）については、多数の測定点を配置して平均レベルとして捉え、できれば、このモードを意識した測定点の配置を心がけるようにするとよい。音圧レベルの周波数分析であれば、多点同時計測は容易である。こうして、周波数帯域ごとの（１／Ｎオクターブバンド）の音圧レベルを測定すれば、上記の入力電圧との関係で、室内の吸音力を短時間高精度で求めることができ、また、平均吸音率や残響時間も求めることができる。
【発明の効果】
【００１２】
本発明は、以上のとおりのものであるから、室内の吸音力を極めて容易に求めることができる。
【発明を実施するための最良の形態】
【００１３】
図１に示す実施形態は、測定方法の一例を示すもので、１は測定しようとする室内、２はスピーカー、３はアンプ、４はノイズジェネレーターであり、入力電圧は、アンプ３からのＬＲ（左右）出力の一方を利用して測定するようになされている。また、５はマイク、６は音圧レベル測定器であり、音圧レベル測定器６とアンプ３とからアナライザー７によって、「入力電圧が何Ｖのとき、室内音圧レベルが何ｄＢであるか」を求めることができるようになされている。その結果に基づいて、入力電圧とスピーカー２の定格感度レベルとから音源のパワーレベルを求めれば、この音源パワーレベルと室内音圧レベルとから吸音力を求めることができる。
【図面の簡単な説明】
【００１４】
【図１】実施形態を示すもので、測定方法実施のための機器構成を示す説明図である。
【符号の説明】
【００１５】
１…室内
２…スピーカー（音源装置）
３…アンプ（音源装置）
４…ノイズジェネレーター（音源装置）
５…マイク（受音装置）
６…音圧レベル測定器（受音装置）
７…アナライザー
【図１】
2005283545.tif 000003
(57)【要約】【課題】  配管の屈折にも対応でき、かつ配管のサイズや本数変更にも対応できる地中埋設配管の離隔測定治具を提供する。    【解決手段】  本発明の離隔測定治具は、穴を掘削し配管３を地中に埋設する前に一時固定し、配管３の離隔寸法を測定するもので、等間隔にネジ穴５を設けたスケール板１と、配管３を離隔する隙間板４とを備え、隙間板４を配管の寸法に応じて可変できるように、スケール板１にネジ固定したものである。また、スケール板１は、一定幅を識別する識別表示２とし、隙間板４は、スケール板１に固定する穴を長穴としたものである。  【選択図】  図１  
2005283522.tif 000002
【特許請求の範囲】
【請求項１】
穴を掘削し配管を地中に埋設する前に一時固定し、前記配管の離隔寸法を測定する地中埋設配管の離隔測定治具において、
等間隔にネジ穴を設けたスケール板と、前記配管を離隔する隙間板とを備え、前記隙間板を前記配管の寸法に応じて、可変できるように前記スケール板にネジ固定したことを特徴とする地中埋設配管の離隔測定治具。
【請求項２】
前記スケール板は、一定幅を識別する識別表示としたことを特徴とする請求項１記載の地中埋設配管の離隔測定治具。
【請求項３】
前記隙間板は、前記スケール板に固定する穴を長穴としたことを特徴とする請求項１または２記載の地中埋設配管の離隔測定治具。
【発明の詳細な説明】
【技術分野】
【０００１】
本発明は、配管を地中に布設する場合に、配管相互の離隔寸法を測定する治具に関する。  
【背景技術】
【０００２】
従来、配管相互の離隔寸法の測定は、配管を一時固定し、その都度スケールを用いて測定していた。また、スペーサーを使用して配管相互の離隔寸法を固定して布設しているものもある（例えば特許文献１参照）。
【特許文献１】実開平７−１６５４２号公報
【発明の開示】
【発明が解決しようとする課題】
【０００３】
ところが、配管のルート毎に配管のサイズ変更や配管相互の離隔寸法の変更、さらに、配管の本数が変更となるような場合にはその都度寸法測定が必要となるので、時間がかかるという問題があった。
本発明はこのような問題点に鑑みてなされたものであり、配管の屈折にも対応できるとともに配管のサイズや本数が変更となるような場合にも対応することができる地中埋設配管の離隔測定治具を提供することを目的とする。
【課題を解決するための手段】
【０００４】
上記問題を解決するため、本発明は、次のように構成したものである。
請求項１に記載の発明は、穴を掘削し配管を地中に埋設する前に一時固定し、前記配管の離隔寸法を測定する地中埋設配管の離隔測定治具において、等間隔にネジ穴を設けたスケール板と、前記配管を離隔する隙間板とを備え、前記隙間板を前記配管の寸法に応じて、可変できるように前記スケール板にネジ固定したものである。
請求項２に記載の発明は、前記スケール板は，一定幅を識別する識別表示としたものである。
請求項３に記載の発明は、前記隙間板は、前記スケール板に固定する穴を長穴としたものである。
【発明の効果】
【０００５】
請求項１に記載の発明によれば、スケール板と隙間板をネジにより固定するので、隙間板の取付が容易にでき、スケール板に等間隔にネジ穴を設けたので、配管相互の離隔寸法を容易に測定することができる。
請求項２に記載の発明によれば、スケール板は、一定幅を識別する識別表示としたので、隙間板の取付寸法を目視確認することができる。
請求項３に記載の発明によれば、隙間板は、スケール板に固定する穴を長穴としたので、配管のサイズや本数の変更にも対応することができる。
【発明を実施するための最良の形態】
【０００６】
以下、本発明の実施の形態について図に基づいて説明する。
図１は、本発明の地中埋設配管の離隔測定治具の正面図、図２は、その側面図である。
図において、１はスケール板、２は識別表示、３は配管、４は隙間板、５はネジ穴、６はネジである。
スケール板１は均等にネジ穴５を設けて、ネジ６により隙間板４を固定するようになっている。また、スケール板１には識別表示２を施している。
隙間板４の詳細を図３に示す。
図において、７は長穴である。この長穴は、隙間板４をスケール板１に固定するものである。
つぎに、本発明の地中埋設配管の離隔測定治具の動作について説明する。
まず、配管３の寸法に合わせて、隙間板４の間隔をネジ６をスケール板１のネジ穴５にネジ締めする。
つぎに、スケール板１が固定された隙間板４を配管３の断面側を正面とし配管３の左右に地面と直角に立て、配管３を挟み込む。この状態で配管相互の離隔寸法をスケール板１の識別表示により測定する。
さらに、隙間板４とスケール板１の後方を埋設して来て隙間板４とスケール板１の所まで達したら隙間板４とスケール板１は前に移動させる。これを数回繰り返し全ての埋設が終了したら隙間板４とスケール板１は取外す。
スケール板１は等間隔にネジ穴を設け、一定幅を識別する識別表示２としているので、配管３相互の離隔寸法を目視確認できるという効果がある。また、隙間板４のスケール板１に固定する穴を長穴としているので、取付寸法の調整ができ、配管のサイズ変更や配管相互の離隔寸法の変更および配管３の本数変更に対応できるという効果がある。
このように、スケール板１と隙間板４をネジ６により固定するので、隙間板４の取付が容易にできるという効果がある。
【図面の簡単な説明】
【０００７】
【図１】本発明の地中埋設配管の離隔測定治具の正面図
【図２】本発明の地中埋設配管の離隔測定治具の側面図
【図３】本発明の地中埋設配管の離隔測定治具の隙間板の正面図
【符号の説明】
【０００８】
１  スケール板
２  識別表示
３  配管
４  隙間板
５  ネジ穴
６  ネジ
７  長穴
【図１】
2005283522.tif 000003
【図２】
2005283522.tif 000004
【図３】
2005283522.tif 000005